(57)【要約】【課題】鏡の面積を十分に確保しながら、風を吹き出すことができる化粧台を提供する。【解決手段】カウンター２４と、カウンター２４の上方に配置される鏡３１と、送風装置４とを具備する。送風装置４は、送風機と、送風機で発生させた風を吹き出す送風口４４を備える。送風口４４は、カウンター２４よりも上方でかつ鏡３１よりも下方に配置される。【選択図】図１
2017148135.tif 000002
【特許請求の範囲】
【請求項１】
カウンターと、
前記カウンターの上方に配置される鏡と、
送風装置とを具備し、
前記送風装置は、
送風機と、
前記送風機で発生させた風を吹き出す送風口とを備え、
前記送風口は、前記カウンターよりも上方でかつ前記鏡よりも下方に配置されることを特徴とする化粧台。
【請求項２】
前記送風口に前記送風口から吹き出される風の向きを変更する風向変更部が設けられたことを特徴とする請求項１に記載の化粧台。
【請求項３】
前記カウンターの上方に配置されるミラーキャビネットを具備し、
前記ミラーキャビネットは、
前記鏡と、
前面に前記鏡が設けられたキャビネット本体とを備え、
前記送風口が前記キャビネット本体の下端に設けられたことを特徴とする請求項１または請求項２に記載の化粧台。
【発明の詳細な説明】
【技術分野】
【０００１】
本発明は、化粧台に関する。
【背景技術】
【０００２】
特許文献１には、洗面化粧台が開示されている。この洗面化粧台は、洗面器と、洗面器の上方に配設されるミラーキャビネット部とを具備している。ミラーキャビネット部は、収納ボックスと、収納ボックスの前面側中央部に設けられた主鏡と、左右側に設けられた隣接鏡とを備えている。収納ボックスには、収納ボックス内の収納空間を仕切る仕切部が形成されている。仕切部内には、風路が形成されており、風路の前面には吹出口が開口している。吹出口は、主鏡と隣接鏡との間に存在している。収納ボックス内には風路を通じて吹出口から風を吹き出すファンが設けられている。吹出口から吹き出された風は、肌のほてりを冷やしたり、化粧水を乾かすために利用される。
【先行技術文献】
【特許文献】
【０００３】
【特許文献１】特開２００８−３６０８１号公報
【発明の概要】
【発明が解決しようとする課題】
【０００４】
ところで、特許文献１に開示された洗面化粧台では、吹出口が主鏡と隣接鏡との間に位置している。このため、収納ボックスの前面において鏡の占める面積が小さくなりやすい。
【０００５】
本発明は前記事情に鑑みてなされたものであって、鏡の面積を十分に確保しながら、風を吹き出すことができる化粧台を提供することを目的とする。
【課題を解決するための手段】
【０００６】
前記目的を達成するために本発明の化粧台は、カウンターと、前記カウンターの上方に配置される鏡と、送風装置とを具備する。前記送風装置は、送風機と、前記送風機で発生させた風を吹き出す送風口とを備える。前記送風口は、前記カウンターよりも上方でかつ前記鏡よりも下方に配置される。
【発明の効果】
【０００７】
本発明に係る化粧台は、鏡の面積を十分に確保しながら、風を吹き出すことができる。
【図面の簡単な説明】
【０００８】
【図１】図１は、本発明の第１実施形態に係る化粧台の設置状態を示した正面図である。
【図２】図２は、同上の化粧台の設置状態を示した側面図である。
【図３】図３は、同上の化粧台の送風装置の斜視図である。
【図４】図４は、同上の送風装置の分解斜視図である。
【図５】図５は、本発明の第２実施形態に係る化粧台の縦断面図である。
【発明を実施するための形態】
【０００９】
以下に示す実施形態は、化粧台に関し、詳しくは、カウンターと鏡とを具備した化粧台１に関する。
【００１０】
（第１実施形態）
図１および図２に示す本実施形態の化粧台１は、洗面化粧台である。化粧台１は、洗面台２と、ミラーキャビネット３とを具備している。
【００１１】
洗面台２は、台本体２０と、水栓装置２１とを備えている。台本体２０は、洗面所等の部屋の壁６に沿って床に設置される。台本体２０の内部には、収納空間２２が形成されている。台本体２０の前面は、収納空間２２の前方を閉塞する複数の扉２３で構成されている。
【００１２】
台本体２０の上端部には、板状のカウンター２４が設けられている。カウンター２４は、平坦な上面を有している。カウンター２４の上面は、台本体２０の上面を構成している。
【００１３】
カウンター２４には、上方に開口した椀状のボウル部２５が形成されている。カウンター２４には、ボウル部２５に水を供給する水栓装置２１が設けられている。
【００１４】
ミラーキャビネット３は、壁６に沿って設置される。ミラーキャビネット３は、洗面台２の上方に離れて配置される。ミラーキャビネット３は、キャビネット本体３０と、鏡３１とを有している。
【００１５】
キャビネット本体３０は、箱状に形成されている。図１に示すように、キャビネット本体３０は、左右方向に並んだ複数の収納部３２〜３４を有している。本実施形態のキャビネット本体３０は、複数の収納部３２〜３４として、キャビネット本体３０の左右方向の中央部に位置したセンター収納部３２と、キャビネット本体３０の左右両端部に位置した一対のサイド収納部３３，３４とを有している。
【００１６】
各収納部３２〜３４は、前方に向かって開口している。各収納部３２〜３４の内側には、物品を収納するための空間３９が存在している。各収納部３２〜３４の空間３９は、例えばキャビネット本体３０と一体に形成された棚部３５、あるいはキャビネット本体３０とは別体の棚などによって複数の空間に仕切られている。
【００１７】
キャビネット本体３０の前面には、鏡３１が設けられている。鏡３１は、複数の鏡扉３６〜３８で構成されている。各鏡扉３６〜３８は、上下方向に長い矩形板状である。各鏡扉３６〜３８の前面は、鏡面となっている。
【００１８】
本実施形態のミラーキャビネット３は、複数の鏡扉３６〜３８として、３枚の鏡扉３６〜３８を有している。これら複数の鏡扉３６〜３８は、三面鏡として利用される。複数の鏡扉３６〜３８は、キャビネット本体３０の前面において、複数の収納部３２〜３４に対応する箇所にそれぞれ設けられている。複数の鏡扉３６〜３８の各々は、キャビネット本体３０に対して、上下軸回り方向に回転可能に連結されている。ここで、上下軸回り方向とは、上下方向と平行な回転軸を中心に回転する方向である。
【００１９】
各鏡扉３６〜３８は、対応する収納部３２〜３４を前側から覆う。これにより、各収納部３２〜３４に収納された物品は、対応する鏡扉３６〜３８によって覆われる。各鏡扉３６〜３８が開いた状態にあるときには、対応する収納部３２〜３４に対して物品を出し入れすることが可能になる。
【００２０】
化粧台１は、洗面台２のカウンター２４と、ミラーキャビネット３との間に設けられる送風装置４をさらに具備している。本実施形態の送風装置４は、洗面台２の下面に固定されており、カウンタ２４とミラーキャビネット３との間の空間における上端に位置している。送風装置４は、センター収納部３２の真下に位置している。
【００２１】
本実施形態の送風装置４は、ケース４０と、ケース４０内に収納された送風機４１（図４参照）とを備えている。
【００２２】
ケース４０は、送風装置４の外面を構成している。ケース４０は、左右方向に長い箱状に形成されている。
【００２３】
図３に示すように、ケース４０の下面部には、下方に開口した吸気口４２が形成されている。本実施形態の吸気口４２は、左右方向に並んだ複数の開口４３で構成されている。複数の開口４３は、ケース４０の後端部に位置している。複数の開口４３の各々は、ケース４０の下面部を上下方向に貫通し、左右方向に長い矩形状の孔である。
【００２４】
ケース４０の前面部には、前方に開口した送風口４４が設けられている。送風口４４は、ケース４０の前面部を前後方向に貫通し、左右方向に長い矩形状の孔である。
【００２５】
図４には、ケース４０の上カバー５３を取り外した送風装置４が示されている。図４に示すように、ケース４０の内部には、通気路４５が形成されている。通気路４５は、吸気口４２（図３参照）と送風口４４とを繋いでいる。通気路４５は、ケース４０の後端部から前端部にまで延びている。
【００２６】
通気路４５には送風機４１が設けられている。本実施形態の送風機４１は、左右方向に長いクロスフローファンである。送風機４１は、ケース４０の後端部に設けられており、吸気口４２（図３参照）の上方に位置している。
【００２７】
図３に示すように、本実施形態の送風装置４は、フィルター４６をさらに備えている。フィルター４６は、例えば防塵フィルターであって、吸気口４２から吸い込まれた空気中に含まれる塵や埃などを捕捉する。
【００２８】
ケース４０の前面部には、操作部４７が設けられている。利用者は、操作部４７を操作することで、図４に示す送風機４１の運転の開始と停止とを切り替えることができる。
【００２９】
送風機４１の運転が開始されると、送風機４１（図４参照）によって、ケース４０の下方の空気が吸気口４２から通気路４５（図４参照）内に吸い込まれ、この空気が送風口４４からケース４０の前方に吹き出される。これにより、利用者は、送風口４４から吹き出された風によって涼んだり、マニキュアを乾かしたりできる。
【００３０】
本実施形態の送風装置４は、送風口４４から吹き出される風の向きを変更する風向変更部５０をさらに備えている。本実施形態の風向変更部５０は、送風口４４に設けられたルーバーである。風向変更部（ルーバー）５０は、送風口４４の左右方向の全長に亘っている。
【００３１】
風向変更部５０は、左右方向に延びた複数の横羽板５１と、上下方向に延びた複数の縦羽板５２とを有している。風向変更部５０の左右方向の両端部は、ケース４０により左右軸回り方向に回転可能に支持されており、風向変更部５０は、ケース４０に対して左右軸回り方向に回転可能である。ここで、左右軸回り方向とは、左右方向と平行な回転軸を中心に回転する方向である。
【００３２】
風向変更部５０は手動により左右軸回り方向に回転する。すなわち、利用者は、風向変更部５０を手動で回転することができ、これにより、送風口４４から吹き出される風の向きを上下に調節できる。例えば、利用者は、送風口４４から吹き出される風の向きを下向き成分を含む方向にすることで、送風口４４から吹き出された風により、マニキュアを施した爪を乾かすことが可能になる。また、利用者は、送風口４４から吹き出される風の向きを前向き成分を含む向きに変更することで、汗ばむような季節において、送風口４４から吹き出された風を顔に風を当てながら、快適に化粧を行うことが可能になる。
【００３３】
（第２実施形態）
次に第２実施形態の化粧台１について説明する。なお、以下の第２実施形態の説明では、第１実施形態と共通の構成については同一の符号を付し、共通する点については説明を省略する。
【００３４】
図５に示す本実施形態の化粧台１は、送風機４１が洗面台２に設けられている。洗面台２の台本体２０の上端部には、カウンター２４の後端部から上方に突出した立上壁部２６が形成されている。立上壁部２６は、部屋の壁６のカウンター２４とミラーキャビネット３との間の部分を覆う。
【００３５】
立上壁部２６の上端部には、前方に開口した送風口４４が設けられている。送風口４４は、洗面台２とカウンター２４との間の空間おける上端に位置している。洗面台２の台本体２０の下端部には、前方に開口した吸気口４２が形成されている。
【００３６】
洗面台２には、吸気口４２と送風口４４とを繋いだ通気路４５が設けられている。通気路４５は、台本体２０の内部から立上壁部２６の内部に延びている。通気路４５の下端部は、吸気口４２に接続され、通気路４５の上端部は、送風口４４に接続されている。
【００３７】
通気路４５において台本体２０の内部に位置する部分には、送風機４１と、フィルター４６とが設けられている。本実施形態の送風機４１は、プロペラファンである。
【００３８】
本実施形態のフィルター４６は、脱臭フィルター４８と防塵フィルター４９とを有している。脱臭フィルター４８は、送風機４１の上流側に位置し、防塵フィルター４９は、脱臭フィルター４８の上流側に位置している。
【００３９】
送風機４１は、台本体２０の前方の空気を吸気口４２から通気路４５内に吸い込み、この空気を送風口４４から立上壁部の前方に吹き出す。
【００４０】
（応用例）
第１実施形態の化粧台１は、送風口４４から吹き出される風の向きを上下方向に変更する風向変更部５０を具備しているが、上下方向および左右方向、あるいは左右方向にのみ変更する風向変更部を具備してもよい。
【００４１】
第１実施形態の風向変更部５０は、手動で風向きが変更されるが、モーターなどの駆動部によって風向きが変更されてもよい。
【００４２】
第１実施形態の洗面台２は、第２実施形態の立上壁部２６と同様の立上壁部を有してもよい。
【００４３】
第１実施形態および第２実施形態のミラーキャビネット３は、３枚の鏡扉３６〜３８を備えたミラーキャビネット３であるが、１枚のみまたは２枚のみの鏡扉を備えたミラーキャビネット３であってもよい。また、第１実施形態および第２実施形態のミラーキャビネット３は、４枚以上の鏡扉を備えたミラーキャビネット３であってもよい。
【００４４】
第１実施形態および第２実施形態の化粧台１は、洗面化粧台に限られず、水栓やボウル部２５を備えない化粧台であってもよい。
【００４５】
また、第１実施形態および第２実施形態の各構成は、適宜組み合わせてもよい。また、この他、本実施形態の化粧台１は、適宜設計変更可能である。
【００４６】
（効果）
以下、上述した第１実施形態および第２実施形態に示した化粧台１の構成および効果について説明する。
【００４７】
第１の形態の化粧台１は、以下の構成を有する。カウンター２４と、カウンター２４の上方に配置される鏡３１と、送風装置４とを具備する。送風装置４は、送風機４１と、送風機４１で発生させた風を吹き出す送風口４４とを備える。送風口４４は、カウンター２４よりも上方でかつ鏡３１よりも下方に配置される。
【００４８】
第１の形態の化粧台１にあっては、カウンター２４よりも上方でかつ鏡３１よりも下方に配置された送風口４４から風を吹き出すことができ、この風を化粧などする際に利用できる。また、送風口４４は、鏡３１よりも下方に配置されるため、鏡３１の面積を十分に確保でき、使い勝手がよい。
【００４９】
第２の形態の化粧台１は、第１の形態の化粧台１において以下の付加的な構成を有する。送風口４４に送風口４４から吹き出される風の向きを変更する風向変更部５０が設けられる。
【００５０】
第２の形態の化粧台１にあっては、送風口４４から吹き出される風の向きを変更することができる。このため、利用者は送風口４４から吹き出される風を用途に応じて有効に利用できる。
【００５１】
第３の形態の化粧台１は、第１の形態または第２の形態の化粧台１において以下の付加的な構成を有する。カウンター２４の上方に配置されるミラーキャビネット３を具備する。ミラーキャビネット３は、鏡３１と、前面に鏡３１が設けられたキャビネット本体３０とを備える。送風口４４がキャビネット本体３０の下端に設けられる。
【００５２】
第３の形態の化粧台１にあっては、送風口４４が鏡３１に近い位置、すなわち、鏡３１を利用する利用者の顔に近い位置に配置される。このため、送風口４４から吹き出される風が顔に当たりやすくなり、汗ばむ季節などでも快適に化粧をすることが可能になる。
【符号の説明】
【００５３】
１  化粧台
２４  カウンター
３  ミラーキャビネット
３０  キャビネット本体
３１  鏡
４  送風装置
４１  送風機
４４  送風口
５０  風向変更部
【図１】
2017148135.tif 000003
【図２】
2017148135.tif 000004
【図３】
2017148135.tif 000005
【図４】
2017148135.tif 000006
【図５】
2017148135.tif 000007